【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】  インバータ装置がモータの動作を制御するためのパラメータ設定値を記憶する記憶手段と、
パラメータ設定値をインバータ装置との間で転送するパラメータ設定値転送手段と、
インバータ装置に記憶されているパラメータ設定値をインバータ装置から前記パラメータ設定値転送手段に転送させることにより、インバータ装置からパラメータ設定値を読出して前記記憶手段に記憶させると共に、前記記憶手段に記憶されているパラメータ設定値を前記パラメータ設定値転送手段からインバータ装置に転送させることにより、パラメータ設定値をインバータ装置に書込む制御手段とを備えたことを特徴とする携帯電話機。
【請求項２】  請求項１に記載した携帯電話機において、
パラメータ設定値を表示する表示手段と、
ユーザの操作を受付ける操作受付手段とを備え、
前記制御手段は、前記記憶手段に記憶されているパラメータ設定値を前記表示手段に表示させると共に、ユーザの操作が前記操作受付手段に受付けられて入力されたパラメータ設定値を前記記憶手段に記憶させることを特徴とする携帯電話機。
【請求項３】  請求項１または２に記載した携帯電話機において、
パラメータ設定値をサーバや他の機器に送信するパラメータ設定値送信手段を備え、
前記制御手段は、前記記憶手段に記憶されているパラメータ設定値を前記パラメータ設定値送信手段からサーバや他の機器に送信させることを特徴とする携帯電話機。
【請求項４】  請求項１ないし３のいずれかに記載した携帯電話機において、
サーバや他の機器からパラメータ設定値を受信するパラメータ設定値受信手段を備え、
前記制御手段は、サーバや他の機器からパラメータ設定値を前記パラメータ設定値受信手段に受信させて前記記憶手段に記憶させることを特徴とする携帯電話機。
【請求項５】  請求項１ないし４のいずれかに記載した携帯電話機において、
サーバや他の機器から文字列を受信する文字列受信手段と、
計時手段とを備え、
前記制御手段は、サーバや他の機器から特定の文字列が前記文字列受信手段に受信されたときや、所定時刻や所定時間が前記計時手段に計時されたときに、インバータ装置に記憶されているパラメータ設定値をインバータ装置から前記パラメータ設定値転送手段に転送させることにより、インバータ装置からパラメータ設定値を読出して前記記憶手段に記憶させることを特徴とする携帯電話機。
【請求項６】  請求項１ないし４のいずれかに記載した携帯電話機において、
サーバや他の機器から文字列を受信する文字列受信手段と、
計時手段とを備え、
前記制御手段は、サーバや他の機器から特定の文字列が前記文字列受信手段に受信されたときや、所定時刻や所定時間が前記計時手段に計時されたときに、前記記憶手段に記憶されているパラメータ設定値を前記パラメータ設定転送手段からインバータ装置に転送させることにより、パラメータ設定値をインバータ装置に書込むことを特徴とする携帯電話機。
【請求項７】  請求項３または４に記載した携帯電話機において、
サーバや他の機器から文字列を受信する文字列受信手段と、
計時手段とを備え、
前記制御手段は、サーバや他の機器から特定の文字列が前記文字列受信手段に受信されたときや、所定時刻や所定時間が前記計時手段に計時されたときに、前記記憶手段に記憶されているパラメータ設定値を前記パラメータ設定値送信手段からサーバや他の機器に送信させることを特徴とする携帯電話機。
【請求項８】  請求項３、４または７に記載した携帯電話機において、
インバータ装置から特定の文字列を入力する文字列入力手段を備え、
前記制御手段は、インバータ装置から特定の文字列が前記文字列入力手段に入力されたときや、インバータ装置から特定のパラメータ設定値が前記パラメータ設定値転送手段に転送されたときに、前記記憶手段に記憶されているパラメータ設定値を前記パラメータ設定値送信手段からサーバや他の機器に送信させることを特徴とする携帯電話機。
【請求項９】  請求項８に記載した携帯電話機において、
報知手段を備え、
前記制御手段は、インバータ装置から特定の文字列が前記文字列入力手段に入力されたときや、インバータ装置から特定のパラメータ設定値が前記パラメータ設定値転送手段に転送されたときに、前記報知手段による報知動作を行わせることを特徴とする携帯電話機。
【請求項１０】  請求項１ないし９のいずれかに記載した携帯電話機において、
サーバや他の機器から文字列を受信する文字列受信手段と、
計時手段とを備え、
前記制御手段は、サーバや他の機器から特定の文字列が前記文字列受信手段に受信されたときや、所定時刻や所定時間が前記計時手段に計時されたときに、前記記憶手段に記憶されているパラメータ設定値を変更させ、変更後のパラメータ設定値を前記パラメータ設定値転送手段からインバータ装置に転送させることにより、変更後のパラメータ設定値をインバータ装置に書込むことを特徴とする携帯電話機。
【請求項１１】  請求項１ないし１０のいずれかに記載した携帯電話機において、
サーバや他の機器からインバータ装置の制御プログラムを受信する制御プログラム受信手段と、
制御プログラムをインバータ装置との間で転送する制御プログラム転送手段とを備え、
前記制御手段は、サーバや他の機器からインバータ装置の制御プログラムを前記制御プログラム受信手段に受信させて前記制御プログラム転送手段からインバータ装置に転送させることにより、インバータ装置の制御プログラムをインバータ装置に書込むことを特徴とする携帯電話機。
【請求項１２】  請求項１ないし１１のいずれかに記載した携帯電話機において、
文字列をインバータ装置に出力する文字列出力手段と、
インバータ装置から返信データを入力する返信データ入力手段とを備え、
前記制御手段は、自身の制御プログラムを起動したときに、前記文字列出力手段から特定の文字列をインバータ装置に出力させ、インバータ装置から前記返信データ入力手段に入力された返信データを解析することにより、インバータ装置との間でパラメータ設定値を転送するのに必要な情報を取得することを特徴とする携帯電話機。
【請求項１３】  請求項１ないし１２のいずれかに記載した携帯電話機において、
前記制御手段は、インバータ装置からパラメータ設定値を読出して前記記憶手段に記憶させるときに、インバータ装置を識別するためのインバータ装置識別情報と共にパラメータ設定値を前記記憶手段に記憶させることを特徴とする携帯電話機。
【請求項１４】  請求項３ないし１３のいずれかに記載した携帯電話機において、
前記制御手段は、インバータ装置が運転状態であることを検出したときに、前記記憶手段に記憶されているパラメータ設定値を前記パラメータ設定値送信手段からサーバや他の機器に送信させることを禁止することを特徴とする携帯電話機。
【請求項１５】  請求項１ないし１４のいずれかに記載した携帯電話機において、
インバータ装置が異常状態や停止状態であることを表す異常停止情報をサーバや他の機器に送信する異常停止情報送信手段を備え、
前記制御手段は、インバータ装置が異常状態や停止状態であることを検出したときに、前記異常停止情報送信手段から異常停止情報をサーバや他の機器に送信させることを特徴とする携帯電話機。
【請求項１６】  請求項３ないし１５のいずれかに記載した携帯電話機において、
前記制御手段は、インバータ装置から読出されたパラメータ設定値が前記記憶手段に記憶されているパラメータ設定値と異なるときに、変更後のパラメータ設定値を前記パラメータ設定値送信手段からサーバや他の機器に送信させることを特徴とする携帯電話機。
【請求項１７】  請求項１ないし１６のいずれかに記載した携帯電話機において、
サーバや他の機器から自身の制御プログラムのうちのインバータ装置毎に固有のパラメータ設定値を転送するのに必要な固有プログラムを受信する固有プログラム受信手段とを備え、
前記制御手段は、インバータ装置を識別し、サーバや他の機器から固有プログラムを前記固有プログラム受信手段に受信させることを特徴とする携帯電話機。
【請求項１８】  請求項１ないし１７のいずれかに記載した携帯電話機との間でパラメータ設定値を転送するように構成されたことを特徴とするインバータ装置。
【請求項１９】  請求項１８に記載したインバータ装置において、
所定条件が成立したときに、特定の文字列や特定のパラメータ設定値を携帯電話機に出力することを特徴とするインバータ装置。
【請求項２０】  請求項１８または１９に記載したインバータ装置において、
電源が投入されたときに、特定の文字列を携帯電話機に出力し、携帯電話機から入力された返信データを解析することにより、携帯電話機との間でパラメータ設定値を転送するのに必要な情報を取得することを特徴とするインバータ装置。
【請求項２１】  請求項１８ないし２０のいずれかに記載したインバータ装置において、
携帯電話機からパラメータ設定値を読出して記憶するときに、携帯電話機を識別するための携帯電話機識別情報と共にパラメータ設定値を記憶することを特徴とするインバータ装置。
【請求項２２】  請求項１ないし１７のいずれかに記載した携帯電話機と、
請求項１８ないし２１のいずれかに記載したインバータ装置とを備えて構築されたことを特徴とするインバータ装置のパラメータ設定値転送システム。
【請求項２３】  携帯電話機に、
インバータ装置に記憶されているパラメータ設定値をインバータ装置から転送させることにより、インバータ装置からパラメータ設定値を読出して記憶する手順と、
記憶されているパラメータ設定値をインバータ装置に転送することにより、パラメータ設定値をインバータ装置に書込む手順とを実行させるための携帯電話機の制御プログラム。
【請求項２４】  インバータ装置に、
携帯電話機に記憶されているパラメータ設定値を携帯電話機から転送させることにより、携帯電話機からパラメータ設定値を読出して記憶する手順と、
記憶されているパラメータ設定値を携帯電話機に転送することにより、パラメータ設定値を携帯電話機に書込む手順とを実行させるためのインバータ装置の制御プログラム。
【手続補正２】
【補正対象書類名】明細書
【補正対象項目名】０００６
【補正方法】変更
【補正の内容】
【０００６】
【課題を解決するための手段】
請求項１に記載した携帯電話機は、インバータ装置がモータの動作を制御するためのパラメータ設定値を記憶する記憶手段と、パラメータ設定値をインバータ装置との間で転送するパラメータ設定値転送手段と、インバータ装置に記憶されているパラメータ設定値をインバータ装置から前記パラメータ設定値転送手段に転送させることにより、インバータ装置からパラメータ設定値を読出して前記記憶手段に記憶させると共に、前記記憶手段に記憶されているパラメータ設定値を前記パラメータ設定値転送手段からインバータ装置に転送させることにより、パラメータ設定値をインバータ装置に書込む制御手段とを備えて構成したところに特徴を有する。
【手続補正３】
【補正対象書類名】明細書
【補正対象項目名】０００７
【補正方法】変更
【補正の内容】
【０００７】
このような構成によれば、携帯電話機をインバータ装置に接続すると、インバータ装置に記憶されているパラメータ設定値がインバータ装置から携帯電話機に転送されることにより、インバータ装置からパラメータ設定値が読出されて携帯電話機に記憶されると共に、携帯電話機に記憶されているパラメータ設定値がインバータ装置に転送されることにより、パラメータ設定値がインバータ装置に書込まれる。
【手続補正４】
【補正対象書類名】明細書
【補正対象項目名】００１５
【補正方法】変更
【補正の内容】
【００１５】
請求項５に記載した携帯電話機は、請求項１ないし４のいずれかに記載した携帯電話機において、サーバや他の機器から文字列を受信する文字列受信手段と、計時手段とを備え、前記制御手段は、サーバや他の機器から特定の文字列が前記文字列受信手段に受信されたときや、所定時刻や所定時間が前記計時手段に計時されたときに、インバータ装置からパラメータ設定値を前記パラメータ設定値転送手段に転送させることにより、インバータ装置に記憶されているパラメータ設定値をインバータ装置から読出して前記記憶手段に記憶させるように構成したところに特徴を有する。
【手続補正５】
【補正対象書類名】明細書
【補正対象項目名】００１６
【補正方法】変更
【補正の内容】
【００１６】
このような構成によれば、サーバや他の機器から特定の文字列が携帯電話機に受信されたり、所定時刻や所定時間が計時されたりすると、インバータ装置に記憶されているパラメータ設定値がインバータ装置から携帯電話機に転送されることにより、インバータ装置からパラメータ設定値が読出されて携帯電話機に記憶されるので、遠隔地における任意の時点や、所定時刻が計時された時点や、所定時間毎に、インバータ装置からパラメータ設定値を読出して携帯電話機に記憶させることができる。
【手続補正６】
【補正対象書類名】明細書
【補正対象項目名】００１７
【補正方法】変更
【補正の内容】
【００１７】
請求項６に記載した携帯電話機は、請求項１ないし４のいずれかに記載した携帯電話機において、サーバや他の機器から文字列を受信する文字列受信手段と、計時手段とを備え、前記制御手段は、サーバや他の機器から特定の文字列が前記文字列受信手段に受信されたときや、所定時刻や所定時間が前記計時手段に計時されたときに、前記記憶手段に記憶されているパラメータ設定値を前記パラメータ設定転送手段からインバータ装置に転送させることにより、パラメータ設定値をインバータ装置に書込むように構成したところに特徴を有する。
【手続補正７】
【補正対象書類名】明細書
【補正対象項目名】００１８
【補正方法】変更
【補正の内容】
【００１８】
このような構成によれば、サーバや他の機器から特定の文字列が携帯電話機に受信されたり、所定時刻や所定時間が計時されたりすると、携帯電話機に記憶されているパラメータ設定値がインバータ装置に転送されることにより、パラメータ設定値がインバータ装置に書込まれるので、遠隔地における任意の時点や、所定時刻が計時された時点や、所定時間毎に、インバータ装置にパラメータ設定値を書込むことができる。
【手続補正８】
【補正対象書類名】明細書
【補正対象項目名】００２５
【補正方法】変更
【補正の内容】
【００２５】
請求項１０に記載した携帯電話機は、請求項１ないし９のいずれかに記載した携帯電話機において、サーバや他の機器から文字列を受信する文字列受信手段と、計時手段とを備え、前記制御手段は、サーバや他の機器から特定の文字列が前記文字列受信手段に受信されたときや、所定時刻や所定時間が前記計時手段に計時されたときに、前記記憶手段に記憶されているパラメータ設定値を変更させ、変更後のパラメータ設定値を前記パラメータ設定値転送手段からインバータ装置に転送させることにより、変更後のパラメータ設定値をインバータ装置に書込むように構成したところに特徴を有する。
【手続補正９】
【補正対象書類名】明細書
【補正対象項目名】００２６
【補正方法】変更
【補正の内容】
【００２６】
このような構成によれば、サーバや他の機器から特定の文字列が携帯電話機に受信されたり、所定時刻や所定時間が計時されると、携帯電話機に記憶されているパラメータ設定値が変更され、変更後のパラメータ設定値がインバータ装置に転送されることにより、変更後のパラメータ設定値がインバータ装置に書込まれるので、遠隔地における任意の時点や、所定時刻が計時された時点や、所定時間毎に、パラメータ設定値を変更してインバータ装置に書込むことができる。
【手続補正１０】
【補正対象書類名】明細書
【補正対象項目名】００２７
【補正方法】変更
【補正の内容】
【００２７】
請求項１１に記載した携帯電話機は、請求項１ないし１０のいずれかに記載した携帯電話機において、サーバや他の機器からインバータ装置の制御プログラムを受信する制御プログラム受信手段と、制御プログラムをインバータ装置との間で転送する制御プログラム転送手段とを備え、前記制御手段は、サーバや他の機器からインバータ装置の制御プログラムを前記制御プログラム受信手段に受信させて前記制御プログラム転送手段からインバータ装置に転送させることにより、インバータ装置の制御プログラムをインバータ装置に書込むように構成したところに特徴を有する。
【手続補正１１】
【補正対象書類名】明細書
【補正対象項目名】００２８
【補正方法】変更
【補正の内容】
【００２８】
このような構成によれば、サーバや他の機器からインバータ装置の制御プログラムが携帯電話機に受信されてインバータ装置に転送されることにより、インバータ装置の制御プログラムがインバータ装置に書込まれるので、遠隔地にて作成されたインバータ装置の制御プログラムをインバータ装置に書込むことができ、インバータ装置の制御プログラムを容易に書換えることができる。
【手続補正１２】
【補正対象書類名】明細書
【補正対象項目名】００４０
【補正方法】変更
【補正の内容】
【００４０】
このような構成によれば、インバータ装置毎に固有のプログラムを予め記憶しておく必要がなく、インバータ装置に共通のプログラムのみを記憶しておき、パラメータ設定値をインバータ装置との間で転送する毎に、該当するインバータ装置毎に固有のプログラムを受信して記憶すれば良いので、自身の制御プログラムの容量を小さくすることができる。
【手続補正１３】
【補正対象書類名】明細書
【補正対象項目名】００４２
【補正方法】変更
【補正の内容】
【００４２】
サーバ６は、他の携帯電話機８（本発明でいう他の機器）や例えば別の作業場所などに設置されているデスクトップ型のパソコン端末９（本発明でいう他の機器）などとの間でも通信回線７を通じて通信可能となっており、サーバ６との間で通信リンクを確立した状態では、インバータ装置１のパラメータ設定値などを他の携帯電話機８やパソコン端末９との間で通信可能になっている。また、サーバ６は、インバータ装置１のパラメータ設定値の他に、インバータ装置１の制御プログラム、携帯電話機４の制御プログラムのうちのインバータ装置１に共通のプログラムおよび携帯電話機４の制御プログラムのうちのインバータ装置毎１に固有のパラメータ設定値を転送するのに必要な固有プログラムなどを記憶可能に構成されている。
【手続補正１４】
【補正対象書類名】明細書
【補正対象項目名】００４９
【補正方法】変更
【補正の内容】
【００４９】
マイクロホン２２は、ユーザが発した音声を送話音声として入力する。レシーバ２３は、携帯電話回線から携帯電話機４に受信された音声を受話音声として出力する。シリアル転送インタフェース部２４は、携帯電話機４とインバータ装置１との間のシリアル転送を制御する機能を有しており、インバータ装置１のパラメータ設定値などをインバータ装置１との間でシリアル転送する。計時部２５は、計時信号を制御部１６に出力し、制御部１６は、計時部２５から入力された計時信号に基づいて時刻や時間を認識する。
【手続補正１５】
【補正対象書類名】明細書
【補正対象項目名】００５１
【補正方法】変更
【補正の内容】
【００５１】
次に、上記した構成の作用として、携帯電話機４の制御部１６が行う処理について、図３ないし図６を参照して説明する。尚、ここでは、インバータ装置１と携帯電話機４とがシリアル転送ケーブル５を通じて接続されていることを前提として説明する。また、ここでは、制御部１６が予めサーバ６に記憶されている自身の制御プログラムのうちのインバータ装置に共通のプログラムをダウンロードさせていることを前提として説明する。
【手続補正１６】
【補正対象書類名】明細書
【補正対象項目名】００６１
【補正方法】変更
【補正の内容】
【００６１】
そして、制御部１６は、無線通信部１７にサーバ６を発信先とする発信動作を行わせることにより、サーバ６との間で無線通信リンクを確立させ、サーバ６に記憶されている自身の制御プログラムのうちの型式が特定されたインバータ装置１に固有のプログラムをダウンロードさせ（ステップＳ１２）、転送チェック処理を終了する。
【手続補正１７】
【補正対象書類名】明細書
【補正対象項目名】００７８
【補正方法】変更
【補正の内容】
【００７８】
以上に説明したように本実施例によれば、携帯電話機４において、インバータ装置１に記憶されているパラメータ設定値が転送されることにより、インバータ装置１からパラメータ設定値が読出されて記憶部２６に記憶されると共に、記憶部２６に記憶されているパラメータ設定値がインバータ装置１に転送されることにより、パラメータ設定値がインバータ装置１に書込まれるように構成した。これにより、例えばデスクトップ型のパソコン端末をインバータ装置１に接続する従来のものとは異なって、インバータ装置１からパラメータ設定値を読出すときやインバータ装置１にパラメータ設定値を書込むときの作業性を高めることができ、また、携帯電話機１が本来有している電話機能を利用することにより、単独でパラメータ設定値を遠隔地に送信することができ、インバータ装置１から読出されたパラメータ設定値を遠隔地に送信するときの利便性を高めることができる。
【手続補正１８】
【補正対象書類名】明細書
【補正対象項目名】００８４
【補正方法】変更
【補正の内容】
【００８４】
【発明の効果】
以上の説明によって明らかなように、本発明によれば、インバータ装置に記憶されているパラメータ設定値が携帯電話機に転送されることにより、インバータ装置からパラメータ設定値が読出されて携帯電話機に記憶されると共に、携帯電話機に記憶されているパラメータ設定値がインバータ装置に転送されることにより、携帯電話機からパラメータ設定値がインバータ装置に書込まれるように構成したので、インバータ装置からパラメータ設定値を読出すときやインバータ装置にパラメータ設定値を書込むときの作業性を高めることができ、また、携帯電話機が本来有している電話機能を利用することにより、単独でパラメータ設定値を遠隔地に送信することができ、インバータ装置から読出されたパラメータ設定値を遠隔地に送信するときの利便性を高めることができる。